(57)【要約】【課題】  伝動手段が耕耘部支持体と干渉するのを回避すること。【解決手段】  牽引車の後方に昇降機構を介して昇降自在に連結されると共に、昇降自在となした伝動手段を介して牽引車より動力が伝達されるようにした耕耘装置において、昇降機構の後端部に連結されるヒッチ体に、左右方向に伸延する耕耘部支持体を連結し、同耕耘部支持体に複数の耕耘部を左右方向に間隔を開けて支持させると共に、耕耘部支持体の中途部に伝動手段との干渉を回避するための凹状部を形成して、同凹状部内にヒッチ体の側方に沿わせて配置した伝動手段の少なくとも一部を配置するようにした。【選択図】      図５
2005176660.tif 000002
【特許請求の範囲】
【請求項１】
牽引車の後方に昇降機構を介して昇降自在に連結されると共に、昇降自在となした伝動手段を介して牽引車より動力が伝達されるようにした耕耘装置において、
昇降機構の後端部に連結されるヒッチ体に、左右方向に伸延する耕耘部支持体を連結し、同耕耘部支持体に複数の耕耘部を左右方向に間隔を開けて支持させると共に、耕耘部支持体の中途部に伝動手段との干渉を回避するための凹状部を形成して、同凹状部内にヒッチ体の側方に沿わせて配置した伝動手段の少なくとも一部を配置するようにしたことを特徴とする耕耘装置。
【請求項２】
耕耘部支持体は、ヒッチ体の下端部に連設した中央部支持体形成片と、ヒッチ体の左右側方に配置した左・右側部支持体形成片と、これらの各内側端部と中央部支持体形成片の左右側端部とを連結する連結片とを具備して、中央部支持体形成片と連結片とにより凹状部を形成したことを特徴とする請求項１記載の耕耘装置。
【請求項３】
中央部支持体形成片に中央部専用取付体を介して耕耘部を取り付ける一方、左・右側部支持体形成片に側部専用取付体を介して耕耘部を取り付けて、各取付体への各耕耘部の取付個所を共通化したことを特徴とする請求項２記載の耕耘装置。
【発明の詳細な説明】
【技術分野】
【０００１】
本発明は、牽引車の後方に連結されて中耕、培土等の多目的作業を行うための耕耘装置に関する。
【背景技術】
【０００２】
従来、牽引車の後方に連結されて中耕、培土等の多目的作業を行う耕耘装置の一形態として、牽引車の後方に昇降機構を介して昇降自在に連結されると共に、伝動手段を介して牽引車より動力が伝達されるようにしたものがある（例えば、特許文献１参照）。
【０００３】
すなわち、上記耕耘装置は、昇降機構の後端部に連結されるヒッチ体に伝動ギヤケースを連設し、同伝動ギヤケースの後方位置に左右方向に直状に伸延する耕耘部支持体を設け、同耕耘部支持体に三個の耕耘部を左右方向に間隔を開けて取り付けると共に、伝動ギヤケースに連動連結した連動ケースと各耕耘部に、左右方向に伸延する伝動軸を貫通させて連動連結している。
【０００４】
そして、伝動ギヤケースには、前方へ向けて入力軸を突設する一方、牽引車の後部に設けたミッション部より後方へ向けてＰＴＯ軸を突設して、同ＰＴＯ軸に伝動シャフトを介して入力軸を連動連結している。
【０００５】
ところが、上記耕耘装置では、牽引車から伝動シャフトを介して動力を取り込むようにしているために、耕耘装置を大きく（広範囲に）昇降させようとすると、伝動シャフトと入力軸並びにＰＴＯ軸との折れ角の問題が生じる。
【０００６】
一方、折れ角の問題を回避するために耕耘装置を牽引車から大きく離隔させると、作業中の旋回半径が大きくなるために、作業性能が低下するという不具合がある。
【０００７】
ところで、走行部の後方に昇降機構を介して伝動装置を昇降自在に連結すると共に、走行部の後部に設けたミッション部と耕耘装置の耕耘ミッション部とを前後方向に伸延する伝動ケースを介して連動連結し、しかも、同伝動ケースは耕耘装置の昇降動作に連動して昇降自在となした牽引車がある（例えば、特許文献２参照）。
【０００８】
そこで、かかる牽引車に前記した多目的作業用の耕耘装置を連動連結することにより、牽引車に耕耘装置を近接配置したまま、大きく昇降させる構造が考えられる。
【特許文献１】特開平４−３１６４１０号公報
【特許文献２】特開平１１−１２３００４号公報
【発明の開示】
【発明が解決しようとする課題】
【０００９】
ところが、上記した多目的作業用の耕耘装置では、耕耘部支持体が左右方向に直状に伸延しているために、同耕耘部支持体に昇降する伝動ケースが干渉するという不具合がある。
【００１０】
そこで、耕耘部支持体を伝動ケースとの干渉を回避すべく上方に配置すると、同耕耘部支持体の地上高が高くなるために、その分だけ各耕耘部を上下方向に大型化しなければならず、製造コストが高くなるという不具合がある。
【００１１】
また、反対に、耕耘部支持体を伝動ケースとの干渉を回避すべく下方に配置すると、同耕耘部支持体が畝立てした畝や、畝に生育している作物に近くなって、これらと接触する虞がある。
【課題を解決するための手段】
【００１２】
そこで、本発明では、牽引車の後方に昇降機構を介して昇降自在に連結されると共に、昇降自在となした伝動手段を介して牽引車より動力が伝達されるようにした耕耘装置において、昇降機構の後端部に連結されるヒッチ体に、左右方向に伸延する耕耘部支持体を連結し、同耕耘部支持体に複数の耕耘部を左右方向に間隔を開けて支持させると共に、耕耘部支持体の中途部に伝動手段との干渉を回避するための凹状部を形成して、同凹状部内にヒッチ体の側方に沿わせて配置した伝動手段の少なくとも一部を配置するようにしたことを特徴とする耕耘装置を提供するものである。
【００１３】
また、本発明は、以下の構成にも特徴を有する。
【００１４】
（１）耕耘部支持体は、ヒッチ体の下端部に連設した中央部支持体形成片と、ヒッチ体の左右側方に配置した左・右側部支持体形成片と、これらの各内側端部と中央部支持体形成片の左右側端部とを連結する連結片とを具備して、中央部支持体形成片と連結片とにより凹状部を形成したこと。
【００１５】
（２）中央部支持体形成片に中央部専用取付体を介して耕耘部を取り付ける一方、左・右側部支持体形成片に側部専用取付体を介して耕耘部を取り付けて、各取付体への各耕耘部の取付個所を共通化したこと。
【発明の効果】
【００１６】
（１）請求項１記載の本発明では、牽引車の後方に昇降機構を介して昇降自在に連結されると共に、昇降自在となした伝動手段を介して牽引車より動力が伝達されるようにした耕耘装置において、昇降機構の後端部に連結されるヒッチ体に、左右方向に伸延する耕耘部支持体を連結し、同耕耘部支持体に複数の耕耘部を左右方向に間隔を開けて支持させると共に、耕耘部支持体の中途部に伝動手段との干渉を回避するための凹状部を形成して、同凹状部内にヒッチ体の側方に沿わせて配置した伝動手段の少なくとも一部を配置するようにしている。
【００１７】
このようにして、耕耘部支持体の中途部に形成した凹状部内に、ヒッチ体の側方に沿わせて配置した伝動手段の少なくとも一部を配置しているため、同伝動手段が昇降作動した場合にも耕耘部支持体との干渉を回避することができる。
【００１８】
従って、耕耘部を大型化する必要性が生じないと共に、耕耘部支持体が畝面や畝面上の作物と接触する虞も生じない所要の地上高に、耕耘部支持体を配置することができる。
【００１９】
その結果、ヒッチ体の側方に沿わせて伝動手段を配置すると共に、同伝動手段を昇降可能に構成した既存の牽引車においても、その伝動系を変更することなく耕耘装置を連結することができる。
【００２０】
（２）請求項２記載の本発明では、耕耘部支持体は、ヒッチ体の下端部に連設した中央部支持体形成片と、ヒッチ体の左右側方に配置した左・右側部支持体形成片と、これらの各内側端部と中央部支持体形成片の左右側端部とを連結する連結片とを具備して、中央部支持体形成片と連結片とにより凹状部を形成している。
【００２１】
このようにして、中央部支持体形成片と左・右側部支持体形成片と連結片とにより凹状部を有する耕耘部支持体を形成しているため、かかる耕耘部支持体を、剛性を確保したまま簡単にかつ安価に形成することができる。
【００２２】
（３）請求項３記載の本発明では、中央部支持体形成片に中央部専用取付体を介して耕耘部を取り付ける一方、左・右側部支持体形成片に側部専用取付体を介して耕耘部を取り付けて、各取付体への各耕耘部の取付個所を共通化している。
【００２３】
このようにして、中央部専用取付体ないしは側部専用取付体を使用することにより、共通の耕耘部を中央部と左・右側部のいずれにおいても取り付けることができるため、中央部専用ないしは側部専用の耕耘部をそれぞれ用意する必要性がなく、コスト的に有利となる。
【発明を実施するための最良の形態】
【００２４】
図１に示すＡは、本発明に係る耕耘装置であり、同耕耘装置Ａは、牽引車Ｂの後方に昇降機構１を介して昇降自在に連結されると共に、昇降自在となした伝動手段としての第１伝動ケース２と第２伝動ケース３を介して牽引車Ｂより動力が伝達されるようにしている。
【００２５】
以下に、まず、上記した牽引車Ｂ、昇降機構１、第１伝動ケース２、第２伝動ケース３の構成について、この順序で説明して上で、その後に、本発明に係る耕耘装置Ａについて説明する。
【００２６】
〔牽引車Ｂ〕
牽引車Ｂは、車体本体10の前部に運転部11を配置すると共に、後部に原動機部12を配置し、また、車体本体10の前部下方にフロントアクスルケース13を介して左右一対の前車輪14,14を取り付けると共に、後部下方にリヤアクスルケース15を介して後車輪16,16を取り付けている。
【００２７】
ここで、牽引車Ｂは、図１に示すように、車体本体10の地上高を高く設定して、図７〜図１１に示すように、圃場Ｇの畝Ｕを跨いだ状態で走行しながら所要の作業が行えるようにしている。
【００２８】
運転部11は、前部にステアリングコラム17を立設し、同ステアリングコラム17の上端部にホイール支軸18を介してステアリングホイール19を取り付け、同ステアリングホイール19の後方位置に運転席20を配置している。
【００２９】
原動機部12は、エンジン21より左側方へ出力軸22を突出させ、同出力軸22と前記運転席20の下方に配置したミッション部（図示せず）の入力軸との間にミッション部伝動ベルト23を巻回すると共に、車体本体10の後端部に筒状の軸支持体24を介して左右方向に伸延するＰＴＯ軸25を設け、同ＰＴＯ軸25の左側端部と上記出力軸22との間にＰＴＯ軸駆動ベルト26を巻回している。27は出力プーリ、28はＰＴＯ入力プーリ、29はテンションローラである。
【００３０】
〔昇降機構１〕
昇降機構1は、前記軸支持体24の中央部に牽引車側ヒッチ体30の基端部（前端部）を枢支して、同牽引車側ヒッチ体30を上下回動自在となし、同牽引車側ヒッチ体30の上部と車体本体10の後端上部との間に昇降用シリンダ31を介設している。
【００３１】
このようにして、昇降用シリンダ31を伸縮作動させることにより、牽引車側ヒッチ体30を上下方向に回動させて、同牽引車側ヒッチ体30に連結した耕耘装置Ａを昇降させることができるようにしている。
【００３２】
〔第１伝動ケース２と第２伝動ケース３〕
第１伝動ケース２と第２伝動ケース３は、それぞれ前後方向に伸延させて形成したチェンケースであり、前記ＰＴＯ軸25に第１伝動ケース２の前端部を連動連結すると共に、同第１伝動ケース２の後端部に第２伝動ケース３の前端部を内外側に重合状態となして、左右方向の軸線廻りに回動自在に連動連結している。
【００３３】
そして、第２伝動ケース３の後端部には、図２及び図３に示すように、左右方向に軸線を向けた左右一対のボス部32,32を連通連設し、両ボス部32,32中にベアリング33,33を介して左右方向に伸延する出力軸34を回動自在に支持して、同出力軸34の左・右側突出端部34a,34bを左右外側方へ突出させている。35は出力スプロケット、36は伝動チェンである。
【００３４】
このようにして、第２伝動ケース３の後端部より左右側方へ突出させている出力軸34の左右側突出端部34a,34bに、後述する耕耘装置Ａの左・右側伝動軸100,103を連動連結することにより、前記ＰＴＯ軸25→第１伝動ケース２→第２伝動ケース３に設けた出力軸34の左右側端部34a,34b→左・右側伝動軸に動力を伝達することができるようにしている。
【００３５】
〔耕耘装置Ａ〕
本発明に係る耕耘装置Ａは、牽引車側ヒッチ体30に着脱自在に連結する耕耘装置側ヒッチ体40と、同耕耘装置側ヒッチ体40に取り付けた支持部材部41と、同支持部材部41に着脱自在に取り付けた複数（本実施の形態では三個）の耕耘部42,42,42と、これらの耕耘部42,42,42に動力を伝達する伝動機構部43とを具備している。
【００３６】
以下に、上記した構成部材である耕耘装置側ヒッチ体40、支持部材部41、耕耘部42、及び、伝動機構部43の構成について、この順序で説明する。
【００３７】
（耕耘装置側ヒッチ体40）
耕耘装置側ヒッチ体40は、図２〜図４に示すように、左右一対のヒッチ体形成片45,45の後上部同士を連結片46により連結し、各ヒッチ体形成片45,45の前側上部の内側面にピン支持片47,47を左右対向状態に取り付けて、ヒッチ体形成片45,45とピン支持片47,47との間に左右方向に軸線を向けた上部係止ピン48,48を架設する一方、各ヒッチ体形成片45,45の前側下部間に左右方向に軸線を向けた下部係止ピン49を架設して形成している。
【００３８】
このようにして、耕耘装置側ヒッチ体40は、上部係止ピン48,48と下部係止ピン49とを介して牽引車側ヒッチ体30に着脱自在に連結することができるようにしている。
【００３９】
また、図２〜図４に示すように、右側のヒッチ体形成片45には、第２伝動ケース３の後端部を支持する伝動ケース支持体117を後方へ向けて突設しており、同伝動ケース支持体117は、右側のヒッチ体形成片45に前端部を固設した支持体本片118と、同支持体本片118の後端部に設けたリング状の軸支片119とを具備して、同軸支持片119を第２伝動ケース３の後端部に設けた左側のボス部32の外周面にベアリング120を介して嵌合して、同ボス部32を回動自在に支持している。
【００４０】
（支持部材部41）
支持部材部41は、図２〜図５に示すように、左右方向に伸延する耕耘部支持体50と、同耕耘部支持体50の中央部に取り付けた中央部専用取付体51と、同耕耘部支持体50の左右側部に取り付けた側部専用取付体52,52とを具備している。
【００４１】
そして、耕耘部支持体50は、耕耘装置側ヒッチ体40の下端部に連設した中央部支持体形成片53と、耕耘装置側ヒッチ体40の左右側方に配置した左・右側部支持体形成片54,55と、これらの各内側端部54a,55aと中央部支持体形成片53の左右側端部53a,53bとを連結する連結片56,57とを具備して、中央部支持体形成片53と左・右側連結片56,57とにより、下方へ凸状の凹状部58を形成して、耕耘部支持体50をクランク状に形成している。
【００４２】
中央部支持体形成片53は、左右方向に伸延する断面四角形の角パイプ状に形成して、左右一対のヒッチ体形成片45,45の下部間に架設しており、同中央部支持体形成片53の左右側端部53a,53bは、それぞれヒッチ体形成片45,45よりも一定幅だけ外側方に位置させている。
【００４３】
左側部支持体形成片54は、左右方向に伸延する断面四角形の角パイプ状に形成しており、上記中央部支持体形成片53の左側端部53aの直上方位置に一定の上下間隔D1を開けて配置し、内側端面54bを左側のヒッチ体形成片45の外側面に当接させて連設すると共に、中央部支持体形成片53の左側端部53aに、左側部支持体形成片54の右側部を、左側連結片56により一体的に連結している。
【００４４】
そして、左側連結片56は、中央部支持体形成片53の左側端部53aと左側部支持体形成片54の右側部との間に介設して一定の上下間隔D1を保持する上下間隔保持片60と、中央部支持体形成片53の左側端部53aと左側部支持体形成片54の右側部とを連結する前後一対の略直角三角形状の連結板61,61と、両連結板61,61の外側斜辺部と左側部支持体形成片54の下面とにわたって連結して外側方を閉塞する外側方閉塞板62とを具備しており、溶接により強固に連結している。
【００４５】
右側部支持体形成片55は、左右方向に伸延する断面四角形の角パイプ状に形成しており、前記中央部支持体形成片53の右側端部53bの直上方位置に一定の上下間隔D1を開けて配置すると共に、内側端面55bと右側のヒッチ体形成片45の外側面との間に一定の左右間隔D2を開けて配置し、中央部支持体形成片53の右側端部53bに、右側部支持体形成片55の左側部を、右側連結片57により一体的に連結している。
【００４６】
そして、右側連結片57は、中央部支持体形成片53の右側端部53bと右側部支持体形成片55の左側部との間に介設して一定の上下間隔D1を保持する上下間隔保持片63と、中央部支持体形成片53の右側端部53bと右側部支持体形成片55の左側部とを連結する前後一対の連結板64,64と、両連結板64,64の外側斜辺部と右側部支持体形成片55の下面とにわたって連結して外側方を閉塞する外側方閉塞板65と、中央部支持体形成片53の右側下部を補強する断面Ｕ字状の補強片66とを具備しており、溶接により強固に連結している。
【００４７】
このように、本実施の形態では、図５に示すように、右側のヒッチ体形成片45と、中央部支持体形成片53の右側部と、上下間隔保持片63と、右側部支持体形成片55の内側端面55bとにより前記した凹状部58を形成する一方、前記した第２伝動ケースを右側のヒッチ体形成片45の側方に沿わせて配置して、同第２伝動ケース３の少なくとも一部（本実施の形態では後部）を凹状部58内に配置している。
【００４８】
従って、耕耘部支持体50の中途部に形成した凹状部58内に、右側のヒッチ体形成片45の側方に沿わせて配置した第２伝動ケース３の後部を配置しているため、同第２伝動ケース３と耕耘部支持体50との干渉を回避することができる。
【００４９】
その結果、耕耘部42を大型化する必要性が生じないと共に、耕耘部支持体50が畝面や畝面上の作物と接触する虞も生じない所要の地上高に、耕耘部支持体50を配置することができる。
【００５０】
この際、耕耘部支持体50は、中央部支持体形成片53と左・右側部支持体形成片54,55と左・右側連結片56,57とにより凹状部58を形成しているため、かかる耕耘部支持体50を、剛性を確保したまま簡単にかつ安価に形成することができる。
【００５１】
中央部専用取付体51は、図２〜図４(b)に示すように、中央部支持体形成片53に左右摺動位置調節自在に取り付けた位置調節片70と、同位置調節片70より下方へ垂設した中央部用支持片71と、同中央部用支持片71に支持されて耕耘部42を左右側方より挟持状態に取付・支持する左右一対の取付・支持片72,72とを具備している。
【００５２】
そして、位置調節片70は、中央部支持体形成片53の前面53cに沿わせて配置した直状板73と、中央部支持体形成片53の後面53dと下面53eと直状板73の下部後面とに沿わせて形成した屈曲板74と、直状板73と屈曲板74の上部同士を連結する左右一対の上部連結ボルト75,75と、直状板73と屈曲板74の下部同士を連結する左右一対の下部連結ボルト76,76と、直状板73と屈曲板74の上部間において、各上部連結ボルト75,75の外周面に嵌合した筒状のローラ77,77とを具備している。78,79は各連結ボルト75,76に螺着したナットである。
【００５３】
このようにして、上部連結ボルト75,75とナット78,78及び下部連結ボルト76,76とナット79,79を弛めることにより、位置調節片70を中央部支持体形成片53に沿わせて左右方向に摺動させることができる一方、所要の位置にて上部連結ボルト75,75とナット78,78及び下部連結ボルト76,76とナット79,79を締め付けることにより、位置調節片70を中央部支持体形成片53に固定することができる。
【００５４】
従って、位置調節片70を所要の位置まで摺動させて固定することにより、同位置調節片70に中央部用支持片71と取付・支持片72,72とを介して支持される耕耘部42の位置調節を任意に行うことができる。
【００５５】
この際、各上部連結ボルト75,75の外周面に嵌合した筒状のローラ77,77が、中央部支持体形成片53の上面上を転動するため、耕耘部42は、中央部支持体形成片53に支持された状態にて、スムーズに摺動位置調節することができる。
【００５６】
中央部用支持片71は、屈曲板74の下面に左右一対の中央部用支持板71a,71aの基端部（上端部）を取り付け、両中央部用支持板71a,71aの先端部（下端部）を下方へ伸延させて、両先端部間に左右一対の取付・支持片72,72の基端部（前端部）を連設するための連設板71bを一体成形している。
【００５７】
左右一対の取付・支持片72,72は、上記連設板71bに基端部を連設し、先端部（後端部）を後方へ向けて伸延させて形成して、後述する耕耘部42の耕耘伝動ケースの前後幅よりも広幅となして、同耕耘伝動ケースを左右側方から挟持すると共に、左右方向に伸延する挟持・取付ボルト80,80,80により左右一対の取付・支持片72,72を共締めして耕耘伝動ケース82を取付・支持している。
【００５８】
側部専用取付体52,52は、図２〜図４(a)に示すように、左・右側部支持体形成片54,55に左右摺動位置調節自在に取り付けた位置調節片70,70と、同位置調節片70,70より下方へ垂設した側部用支持片81,81と、各側部用支持片81,81に支持されて耕耘部42,42を左右側方より挟持状態に取付・支持する取付・支持片72とを具備している。
【００５９】
ここで、側部専用取付体52と前記した中央部専用取付体51とは、側部用支持片81と中央部用支持片71とが異なるだけで、他の構成部材は共通している。
【００６０】
そこで、側部支持片81について説明すると、同側部支持片81は、屈曲板74の下面に左右一対の側部用支持板81a,81aの基端部（上端部）を取り付け、両中央部用支持板81a,81aの先端部（下端部）を下方へ伸延させて、両先端部間に左右一対の取付・支持片72,72の基端部（前端部）を連設するための連設板81bを一体成形している。
【００６１】
そして、左右一対の側部用支持板81a,81aは、その上下幅を、中央部支持体形成片53と左・右側部支持体形成片54,55との上下間隔D1に中央部支持体形成片53の上下幅を加えた値と略同一に設計している。
【００６２】
このようにして、図４(a)(b)に示すように、中央部支持体形成片53に中央部専用取付体51を介して取り付けられる耕耘部42と、左・右側部支持体形成片54,55に側部専用取付体52,52を介して取り付けられる耕耘部42の地上高が同一になると共に、各取付体51,52,52の取付・支持片72,72,72,72,72,72と耕耘伝動ケース82,82,82との取付個所を共通化している。
【００６３】
従って、中央部専用取付体71ないしは側部専用取付体81を使用することにより、共通の耕耘部42,42,42を中央部と左・右側部のいずれにおいても取り付けることができるため、中央部専用ないしは側部専用の耕耘部42をそれぞれ用意する必要性がなく、コスト的に有利となる。
【００６４】
（耕耘部42）
耕耘部42は、図１及び図４に示すように、耕耘伝動ケース82と、同耕耘伝動ケース82に左右一対の取付・支持片72,72を介して前端部を取り付けたロータリフレーム83と、同ロータリフレーム83の下側縁部に取り付けたロータリカバー84と、同ロータリフレーム83の後端部に尾輪支持体85を介して取り付けた尾輪86とを具備している。
【００６５】
そして、耕耘伝動ケース82は、図２及び図３に示すように、上下方向に伸延させて形成したケース本体87の上部に、左右方向に軸線を向けた左右一対のボス部90,90を連通連設し、両ボス部90,90内にベアリング91,91を介して左右方向に伸延する筒状の嵌合片92を回動自在に支持して、同嵌合片92を入力部材となすと共に、同嵌合片92の外周面中央部に出力スプロケット93を一体成形している。
【００６６】
一方、ケース本体87の下部には、左右一対のボス部94,94を連通連設し、両ボス部94,94内にベアリング（図示せず）を介して左右方向に伸延する耕耘軸95を回動自在に支持して、同耕耘軸95の外周面中央部に入力スプロケット96を取り付け、同入力スプロケット96と上記出力スプロケット93との間に耕耘伝動チェン97を巻回している。
【００６７】
そして、耕耘軸95は、ボス部94,94よりも左右外側方へ突出させて左・右側突出端部95a,95bを形成しており、各突出端部95a,95bには、筒状ないしはパイプ状に形成した耕耘爪軸98の側端部を抜き差し自在に嵌合すると共に、連結ピン99を介して固定することができるようにしている。
【００６８】
本実施の形態では、図２及び図３に示すように、左右方向に隣接して対向する耕耘軸95,95の左・右側突出端部95a,95b間に左右方向に長尺に形成した耕耘爪軸98,98を着脱自在に架設し、左右最外側の耕耘軸95,95の左・右側突出端部95a,95bにそれぞれ左右方向に短尺の耕耘爪軸98,98を着脱自在に取り付けている。116は、耕耘爪軸98の外周面に着脱自在に突設した耕耘爪である。
【００６９】
このようにして、耕耘軸95に耕耘爪軸98を装着することにより、図６に示すように、全面耕耘作業も行うことができ、後述するように多用途の作業に適応させることができる。
【００７０】
この際、中央部の耕耘伝動ケース82の耕耘軸95により耕耘爪軸98,98を支持しているため、左右側の耕耘爪軸98,98をそれぞれ両持ち状態に支持することができて、各耕耘爪軸98,98の強度を良好に確保することができる。
【００７１】
（伝動機構部43）
伝動機構部43は、図２〜図４に示すように、左側に配置した耕耘伝動ケース82の嵌合片92と、中央部に配置した耕耘伝動ケース82の嵌合片92とに、左右方向に伸延する左側伝動軸100を貫通させ、同左側伝動軸100の右側端部に設けた嵌合・連結片101を、第２伝動ケース３の後端部より左右側方へ突出させている出力軸34の左側突出端部34aに嵌合させると共に、連結ピン102を介して着脱自在に連結している。
【００７２】
一方、右側に配置した耕耘伝動ケース82の嵌合片92に、左右方向に伸延する右側伝動軸103の右側端部を貫通させ、同右側伝動軸103の左側端部に設けた嵌合・連結片104を、上記出力軸34の右側突出端部34bに嵌合させると共に、連結ピン105を介して着脱自在に連結している。
【００７３】
そして、左・右側伝動軸100,103は、左右方向に伸延する出力軸34の軸線と同一軸線上に配置すると共に、同出力軸34に連動連結している。
【００７４】
また、各伝動軸100,103は、断面角形（本実施の形態では六角形）に形成する一方、各嵌合片92,92,92の内周面形状は、各伝動軸100,103の断面角形と整合する形状に形成して、各伝動軸100,103上にて各嵌合片92,92,92を軸線方向に摺動自在となすと共に、各伝動軸100,103と各嵌合片92,92,92とが軸線廻りに一体回動するようにしている。106,107は左・右側伝動軸100,103をそれぞれ被覆すると共に、左右方向に伸縮自在となした蛇腹状被覆体である。
【００７５】
このようにして、各嵌合片92は、各伝動軸100,103に左右方向に摺動自在に嵌合して、各伝動軸100,103を上記出力軸34と協働して支持するようにしている。
【００７６】
そして、各耕耘部42を耕耘部支持体50に沿わせて摺動位置調節した際にも、各嵌合片92は各伝動軸100,103に沿って摺動すると共に嵌合状態を保持して、伝動機能を良好に確保することができる。
【００７７】
また、左・右側の耕耘部42,42を取り外す際には、各耕耘部42,42を耕耘部支持体50の左・右側部支持体形成片54,55に沿わせて外側方へ摺動させて、各支持体形成片54,55の外側端部より引き抜くことにより、簡単に取り外すことができる。
【００７８】
この際、各嵌合片92,92は、各伝動軸100,103の外側端部より引き抜かれることになる。
【００７９】
また、左・右側の耕耘部42,42を取り付ける際にも、上記した手順を反対にたどることにより、簡単に取り付けることができる。
【００８０】
ここで、本実施の形態では、最外側に位置する左・右側の耕耘部42,42より外側方へ突出する各伝動軸100,103の外側端部を被覆体108,109により被覆すると共に、各被覆体108,109は各耕耘部42,42に連結して、各耕耘部42,42と一体的に移動するようにしている。
【００８１】
すなわち、各被覆体108,109は、左右方向に伸延する筒状片110,111と、外側開口端部を閉塞する蓋片112,113とからキャップ状に形成して、各耕耘部42,42の外側方のボス部90,90に内側開口端部114,115を嵌合させて連結している。
【００８２】
このようにして、各伝動軸100,103の外側端部を被覆する各被覆体108,109を最外側の各耕耘部42,42に連結して、各耕耘部42,42と一体的に移動するようにしているため、各耕耘部42,42を摺動位置調節した際にも、各伝動軸100,103の外側端部は被覆体により被覆された状態を保持して、自動的に常時保護された状態を保つことができる。
【００８３】
次に、上記のように構成した耕耘装置Ａの使用形態について、図６〜図１１を参照しながら説明する。
【００８４】
（１）三連・全面耕耘作業形態
図６は、前記したように、三個の耕耘部42,42,42により行う作業形態であり、三個の耕耘伝動ケース82,82,82に設けた耕耘軸95,95,95間に長尺の耕耘爪軸98,98を両持ち状態にて架設すると共に、最外側の耕耘軸95,95の各突出端部95a,95bに短尺の耕耘爪軸98,98を片持ち状態に取り付けることにより、広範囲にわたって全面耕耘作業を行うことができる。
【００８５】
（２）三連・二畝跨ぎ中耕作業形態
図７は、三個の耕耘部42,42,42により行う作業形態であり、三個の耕耘伝動ケース82,82,82に設けた耕耘軸95,95,95の左・右側突出端部95a,95bにそれぞれ短尺の耕耘爪軸98を片持ち状態に取付けることにより、二つの畝U,Uを跨いだ状態にて中耕作業や培土作業を行うことができる。Ｋはキャベツ等の作物である。
【００８６】
（３）二連・一畝跨ぎ中耕作業形態
図８は、耕耘部支持体50から中央部の耕耘部42を取り外して、左右側二個の耕耘部42,42により行う作業形態であり、左右側の耕耘伝動ケース82,82に設けた耕耘軸95,95の左・右側突出端部95a,95bにそれぞれ短尺の耕耘爪軸98を片持ち状態に取付けることにより、幅広の一つの畝Ｕを跨いだ状態にて中耕作業や培土作業を行うことができる。
【００８７】
（４）二連・畝表面耕起作業形態
図９は、耕耘部支持体50から中央部の耕耘部42を取り外して、左右側二個の耕耘部42,42により行う作業形態であり、左右側の耕耘伝動ケース82,82に設けた耕耘軸95,95の内側の突出端部95a,95b間に長尺の耕耘爪軸98を両持ち状態に取付けることにより、幅広の一つの畝Ｕの表面を、播種を行う前に耕起・細土する作業を行うことができる。
【００８８】
この際、中央部の耕耘部42を取り外して、左右側二個の耕耘部42,42により行う作業形態であるため、中央部に残耕が生じることがなく、残耕処理作業を行う必要性がなくなるため、効率良く全面耕耘作業を行うことができる。
【００８９】
（５）二連・畝立て作業形態
図１０は、耕耘部支持体50から中央部の耕耘部42を取り外して、左右側二個の耕耘部42,42により行う作業形態であり、二個の耕耘伝動ケース82,82に設けた耕耘軸95,95の左・右側突出端部95a,95a,95b,95bにそれぞれ短尺の耕耘爪軸98を片持ち状態に取付けることにより、たばこを育成する畝Ｕに堆肥を筋蒔きした後に畝立てする作業や、芋類Ｐを畝Ｕ中に置いた状態で覆土と同時に畝立てする作業を行うことができる。
【００９０】
（６）単一・畝立て作業形態
図１１は、耕耘部支持体50から左右側の耕耘部42,42を取り外して、中央部の耕耘部42だけで行う作業形態であり、耕耘伝動ケース82に設けた耕耘軸95の左・右側突出端部95a,95aにそれぞれ長尺の耕耘爪軸98,98を片持ち状態に取付けることにより、畝立て作業や、長芋等の土寄せ作業や、畝立てと同時に行う土壌消毒等の作業を行うことができる。Ｍは畝立て器である。
【００９１】
図１２は、他の実施形態としての耕耘部支持体50を示しており、同耕耘部支持体50は、中央部支持体形成片53の左右側端部に、上下方向に縦長四角形状に形成した連結用フランジ121,122の下部を取り付けて、両連結用フランジ121,122を上方へ立ち上がり状となすと共に、各連結用フランジ121,122の上部に、左・右側部支持体形成片54,55の内側端部を挿通するための挿通孔123,124を形成している。129は補強用リブである。
【００９２】
一方、左・右側部支持体形成片54,55の内側端部に、上下方向に縦長四角形状に形成した連結用フランジ125,126の上部を取り付けて、両連結用フランジ125,126を下方へ垂れ下がり状となすと共に、両連結用フランジ125,126の下部に、中央部支持体形成片53の左右側端部を挿通するための挿通孔127,128を形成している。130は補強用リブである。
【００９３】
このようにして、中央部支持体形成片53の左右側端部に取り付けた連結用フランジ121,122に、左・右側部支持体形成片54,55の内側端部に取り付けた連結用フランジ125,126を左右外側方から突き合わせるに際しては、各連結用フランジ121,122の上部に形成した挿通孔123,124中に、左・右側部支持体形成片54,55の内側端部を挿通すると共に、各連結用フランジ125,126の下部に形成した挿通孔127,128中に中央部支持体形成片53の左右側端部を挿通することにより、連結フランジ121と連結フランジ125とを面接触させた左右側重合状態となすと共に、連結フランジ122と連結フランジ126とを面接触させた左右側重合状態となすことができる。
【００９４】
そして、上記のように左右側重合状態となした連結フランジ121,125同士を連結ボルト131により連結する一方、連結フランジ122,126同士を連結ボルト132により連結することにより、耕耘部支持体50を簡単に組み付けて形成することができる。
【００９５】
図１３は、他の実施形態としての左側伝動軸100を示しており、同左側伝動軸100は、内側伝動軸分割片133と、外側伝動軸分割片134と、両伝動軸分割片133,134を接続する筒状の接続片135と、同接続片135と各伝動分割片133,134とを連結する連結ピン136,136とを具備している。
【００９６】
そして、本実施の形態では、内側伝動軸分割片133は、中央部の耕耘部42の左右摺動位置調節に必要な最低限の長さとし、同内側伝動軸分割片131よりも外側伝動軸分割片134を長尺に形成している。
【００９７】
このようにして、中央部の耕耘部42を取り外す場合には、まず、右側の連結ピン136を抜いて、接続片135と内側伝動軸分割片133とを接続解除する。
【００９８】
そして、接続片135と外側伝動軸分割片134を左側外方へ摺動移動させて、接続片135と内側伝動軸分割片133との間に、耕耘伝動ケース82を内側伝動軸分割片133から引き抜くのに必要な空間を確保しておく。
【００９９】
続いて、中央部の耕耘部42を中央部支持体形成片53に沿わせて左側方へ摺動移動させて、耕耘伝動ケース82を内側伝動軸分割片133から引き抜く。
【０１００】
その後に、中央部支持体形成片53から中央部専用取付体51を取り外すことにより、中央部の耕耘部42を取り外すことができる。
【０１０１】
この際、左側の耕耘部42を取り外さなくても、中央部の耕耘部42だけを取り外すことができるため、作業形態に応じて耕耘装置Ａの使用形態を変更する作業を効率良く行うことができる。
【図面の簡単な説明】
【０１０２】
【図１】本発明に係る耕耘装置の装着状態を示す側面説明図。
【図２】同耕耘装置の一部切欠展開平面図。
【図３】同耕耘装置の一部切欠展開背面図。
【図４】同耕耘装置の左側面図(a)と中途部の断面左側面図(b)。
【図５】耕耘部支持体の背面図(a)と左側面図(b)と背面図(a)のI-I線断面図。
【図６】耕耘装置の使用形態説明図（三連・全面耕耘作業形態）。
【図７】耕耘装置の使用形態説明図（三連・二畝跨ぎ中耕作業形態）。
【図８】耕耘装置の使用形態説明図（二連・一畝跨ぎ中耕作業形態）。
【図９】耕耘装置の使用形態説明図（二連・畝表面耕起作業形態）。
【図１０】耕耘装置の使用形態説明図（二連・畝立て作業形態）。
【図１１】耕耘装置の使用形態説明図（単一・畝立て作業形態）。
【図１２】他の実施の形態としての耕耘部支持体の背面図(a)と左側面図(b)と背面図(a)のII-II線断面図。
【図１３】他の実施の形態としての左側伝動軸の一部切欠背面図。
【符号の説明】
【０１０３】
Ａ  耕耘装置
１  昇降機構
２  第１伝動ケース
３  第２伝動ケース
40  耕耘装置側ヒッチ体
41  支持部材部
42  耕耘部
43  伝動機構部
【図１】
2005176660.tif 000003
【図２】
2005176660.tif 000004
【図３】
2005176660.tif 000005
【図４】
2005176660.tif 000006
【図５】
2005176660.tif 000007
【図６】
2005176660.tif 000008
【図７】
2005176660.tif 000009
【図８】
2005176660.tif 000010
【図９】
2005176660.tif 000011
【図１０】
2005176660.tif 000012
【図１１】
2005176660.tif 000013
【図１２】
2005176660.tif 000014
【図１３】
2005176660.tif 000015